(57)【特許請求の範囲】
【請求項１】
給水湯配管に使用される合成樹脂製分岐管の、継手を介して給水湯管が接続される開口筒部を閉塞する栓であって、
前記開口筒部内に挿入されて、その開口筒部の内周面に密接して止水する止水部と、
前記開口筒部の外周面に配置されて、その開口筒部が前記分岐管内の水圧により拡開するのを防止する拡開防止部と、
前記止水部から前記開口筒部の先端側に延びて、その開口筒部内に挿入可能な延設部と、を備え、
前記拡開防止部は、前記延設部の先端部分と繋がっているとともに前記開口筒部の基端部まで延びて形成され、
前記延設部は、前記継手が接続される、前記開口筒部の先端部分が切断されても、前記止水部が前記開口筒部の内周面と密接すべく、前記開口筒部の先端部分の長さよりも長く形成されていることを特徴とする、合成樹脂製分岐管の開口筒部の栓。
【請求項２】
前記止水部および前記拡開防止部が、前記開口筒部から外れるのを防止する、外れ防止手段を備え、
前記外れ防止手段は、前記拡開防止部に設けられた、前記開口筒部の基端部に備わる係止部に係止される被係止部からなることを特徴とする、請求項１に記載の、合成樹脂製分岐管の開口筒部の栓。
【請求項３】
前記係止部は、前記開口筒部の基端部に螺設されたネジ部からなり、前記被係止部は、前記ネジ部に螺合する螺合部からなることを特徴とする請求項２に記載の、合成樹脂製分岐管の開口筒部の栓。
【請求項４】
前記合成樹脂製分岐管は、ヘッダーであって、前記開口筒部は、分岐口からなることを特徴とする、請求項１ないし３のいずれか１項に記載の、合成樹脂製分岐管の開口筒部の栓。
【請求項５】
給水湯配管に使用される合成樹脂製分岐管と、その分岐管の、継手を介して給水湯管が接続される開口筒部を閉塞する栓とからなり、
前記栓は、前記開口筒部内に挿入されて、その開口筒部の内周面に密接して止水する止水部と、前記開口筒部の外周面に配置されて、その開口筒部が前記分岐管内の水圧により拡開するのを防止する拡開防止部と、前記止水部から前記開口筒部の先端側に延びて、その開口筒部内に挿入可能な延設部と、を備え、
前記拡開防止部は、前記延設部の先端部分と繋がっているとともに前記開口筒部の基端部まで延びて形成され、
前記延設部は、前記継手が接続される、前記開口筒部の先端部分が切断されても、前記止水部が前記開口筒部の内周面と密接すべく、前記開口筒部の先端部分の長さよりも長く形成されていることを特徴とする、栓を備えた合成樹脂製分岐管。
【請求項６】
前記止水部および前記拡開防止部が、前記開口筒部から外れるのを防止する、外れ防止手段を備え、
前記外れ防止手段は、前記拡開防止部に設けられた、前記開口筒部の基端部に備わる係止部に係止される被係止部からなることを特徴とする、請求項５に記載の、栓を備えた合成樹脂製分岐管。
【請求項７】
前記係止部は、前記開口筒部の基端部に螺設されたネジ部からなり、前記被係止部は、前記ネジ部に螺合する螺合部からなることを特徴とする請求項６に記載の、栓を備えた合成樹脂製分岐管。
【請求項８】
前記合成樹脂製分岐管は、ヘッダーであって、前記開口筒部は、分岐口からなることを特徴とする、請求項５ないし７のいずれか１項に記載の、栓を備えた合成樹脂製分岐管。
【請求項９】
給水湯配管に使用される合成樹脂製分岐管の、継手を介して給水湯管が接続される分岐口に、その分岐口を閉塞する栓を装着する装着方法であって、
前記栓は、前記分岐口内に挿入されて、その分岐口の内周面に密接して止水する止水部と、前記分岐口の外周面に配置されて、その分岐口が前記分岐管内の水圧により拡開するのを防止する拡開防止部と、前記止水部から前記分岐口の先端側に延びて、その分岐口内に挿入可能な延設部とを備え、前記拡開防止部は、前記延設部の先端部分と繋がっているとともに前記分岐口の基端部まで延びて形成され、前記延設部は、前記継手が接続される、前記分岐口の先端部分が切断されても、前記止水部が前記分岐口の内周面と密接すべく、前記分岐口の先端部分の長さよりも長く形成されており、
前記分岐口に、前記継手を介して接続された給水湯管を取外して、前記継手が接続された、前記分岐口の先端部分を切断し、その後、前記栓を、前記止水部が前記分岐口の内面と密接するようにしてその分岐口に装着することを特徴とする、栓の装着方法。
【請求項１０】
前記合成樹脂製分岐管は、ヘッダーであることを特徴とする、請求項９に記載の、栓の装着方法。
【発明の詳細な説明】
【０００１】
【発明の属する技術分野】
この発明は、給水湯配管に使用される合成樹脂製分岐管の開口筒部の栓、栓を備えた合成樹脂製分岐管、および栓の装着方法に関するものである。
【０００２】
【従来の技術および発明が解決しようとする課題】
従来においては、図６に示されるように、給水湯配管に使用される分岐管、例えばヘッダー２１は、金属製であり、主管２２から供給される湯水を、台所や浴室等の各湯水消費部に分岐配管すべく、開口筒部としての複数の分岐口２３が形成されていた。そして、ヘッダー２１には、後に、トイレ等の湯水消費部が設備追加される場合等に備え、予備の分岐口２３が設けられていた。この予備の分岐口２３は、ヘッダー２１とは別体の金属製の栓２４で止水され、後に設備追加に応じて前記栓２４が取外されて本来の分岐口２３として使用された。
【０００３】
ところで、近年、腐食による錆等が発生しない架橋ポリエチレン管等の合成樹脂製の管の普及に伴い、上記ヘッダー２１についても、合成樹脂製にすることが検討された。しかし、合成樹脂製のヘッダー２１にあっては、分岐口２３端部に形成されたネジ部２３ａに栓２４を強くねじ込んだ際、ヘッダー２１が合成樹脂製であるために、ネジ部２３ａが破損したり、また、ネジ部２３ａの破損を避けようとすると強固なねじ込みができなかったり、いずれにしても十分な止水効果が得られないと考えられていた。
【０００４】
さらに、上記構成の栓２４を分岐口２３のネジ部２３ａにねじ込んで止水する場合、ヘッダー２１が樹脂製であるために、ヘッダー２１内の水圧により分岐口２３端部が拡開して、栓２４と分岐口２３端部間に隙間が生じることによって、水が漏れることも予想された。
【０００５】
この発明は、上記した従来の欠点を解決するためになされたものであり、その目的とするところは、合成樹脂製の分岐管であっても、確実に止水することが可能な、合成樹脂製分岐管の開口筒部の栓、栓を備えた合成樹脂製分岐管、および栓の装着方法を提供することにある。
【０００６】
【課題を解決するための手段】
この発明に係る、合成樹脂製分岐管の開口筒部の栓、栓を備えた合成樹脂製分岐管、および栓の装着方法は、前記目的を達成するために、次の構成からなる。すなわち、
請求項１に記載の発明に係る、合成樹脂製分岐管の開口筒部の栓は、給水湯配管に使用される合成樹脂製分岐管の、継手を介して給水湯管が接続される開口筒部を閉塞する栓である。そして、栓は、前記開口筒部内に挿入されて、その開口筒部の内周面に密接して止水する止水部と、前記開口筒部の外周面に配置されて、その開口筒部が前記分岐管内の水圧により拡開するのを防止する拡開防止部と、前記止水部から前記開口筒部の先端側に延びて、その開口筒部内に挿入可能な延設部と、を備える。前記拡開防止部は、前記延設部の先端部分と繋がっているとともに前記開口筒部の基端部まで延びて形成されている。また、前記延設部は、前記継手が接続される、前記開口筒部の先端部分が切断されても、前記止水部が前記開口筒部の内周面と密接すべく、前記開口筒部の先端部分の長さよりも長く形成されている。
【０００７】
こうして、この栓は、合成樹脂製分岐管の開口筒部の外周面に配置される拡開防止部によって、分岐管の開口筒部がその分岐管内の水圧によって拡開するのが防止されるので、開口筒部の内周面に密接する止水部による止水状態が維持される。
【０００８】
【０００９】
【００１０】
そして、分岐管の開口筒部の先端部分が切断されてなくなった場合にも、この止水部によって開口筒部を止水することができる。
【００１１】
また、請求項２に記載の発明に係る、合成樹脂製分岐管の開口筒部の栓のように、前記止水部および前記拡開防止部が、前記開口筒部から外れるのを防止する、外れ防止手段を備え、その外れ防止手段は、前記拡開防止部に設けられた、前記開口筒部の基端部に備わる係止部に係止される被係止部からなるのが望ましい。こうして、外れ防止手段を設けることで、この栓の止水部および拡開防止部が、分岐管の開口筒部から外れるのが防止される。
【００１２】
【００１３】
また、請求項３に記載の発明に係る、合成樹脂製分岐管の開口筒部の栓のように、前記係止部は、前記開口筒部の基端部に螺設されたネジ部からなり、前記被係止部は、前記ネジ部に螺合する螺合部からなってもよい。
また、請求項４に記載の発明に係る、合成樹脂製分岐管の開口筒部の栓のように、前記合成樹脂製分岐管は、ヘッダーであって、前記開口筒部は、分岐口からなってもよい。
【００１４】
また、請求項５に記載の発明に係る、栓を備えた合成樹脂製分岐管は、給水湯配管に使用される合成樹脂製分岐管と、その分岐管の、継手を介して給水湯管が接続される開口筒部を閉塞する栓とからなる。ここで、前記栓は、前記開口筒部内に挿入されて、その開口筒部の内周面に密接して止水する止水部と、前記開口筒部の外周面に配置されて、その開口筒部が前記分岐管内の水圧により拡開するのを防止する拡開防止部と、前記止水部から前記開口筒部の先端側に延びて、その開口筒部内に挿入可能な延設部と、を備える。前記拡開防止部は、前記延設部の先端部分と繋がっているとともに前記開口筒部の基端部まで延びて形成されている。また、前記延設部は、前記継手が接続される、前記開口筒部の先端部分が切断されても、前記止水部が前記開口筒部の内周面と密接すべく、前記開口筒部の先端部分の長さよりも長く形成されている。
こうして、栓は、合成樹脂製分岐管の開口筒部の外周面に配置される拡開防止部によって、分岐管の開口筒部がその分岐管内の水圧によって拡開するのが防止されるので、開口筒部の内周面に密接する止水部による止水状態が維持される。そして、分岐管の開口筒部の先端部分が切断されてなくなった場合にも、この止水部によって開口筒部を止水することができる。
また、請求項６に記載の発明に係る、栓を備えた合成樹脂製分岐管のように、前記止水部および前記拡開防止部が、前記開口筒部から外れるのを防止する、外れ防止手段を備え、その外れ防止手段は、前記拡開防止部に設けられた、前記開口筒部の基端部に備わる係止部に係止される被係止部からなるのが望ましい。こうして、外れ防止手段を設けることで、栓の止水部および拡開防止部が、分岐管の開口筒部から外れるのが防止される。
また、請求項７に記載の発明に係る、栓を備えた合成樹脂製分岐管のように、前記係止部は、前記開口筒部の基端部に螺設されたネジ部からなり、前記被係止部は、前記ネジ部に螺合する螺合部からなってもよい。
また、請求項８に記載の発明に係る、栓を備えた合成樹脂製分岐管のように、前記合成樹脂製分岐管は、ヘッダーであって、前記開口筒部は、分岐口からなってもよい。
【００１５】
また、請求項９に記載の発明に係る、栓の装着方法は、給水湯配管に使用される合成樹脂製分岐管の、継手を介して給水湯管が接続される分岐口に、その分岐口を閉塞する栓を装着する装着方法である。ここにおいて、前記栓は、前記分岐口内に挿入されて、その分岐口の内周面に密接して止水する止水部と、前記分岐口の外周面に配置されて、その分岐口が前記分岐管内の水圧により拡開するのを防止する拡開防止部と、前記止水部から前記分岐口の先端側に延びて、その分岐口内に挿入可能な延設部とを備え、前記拡開防止部は、前記延設部の先端部分と繋がっているとともに前記分岐口の基端部まで延びて形成され、前記延設部は、前記継手が接続される、前記分岐口の先端部分が切断されても、前記止水部が前記分岐口の内周面と密接すべく、前記分岐口の先端部分の長さよりも長く形成されている。そこで、栓の装着方法は、前記分岐口に、前記継手を介して接続された給水湯管を取外して、前記継手が接続された、前記分岐口の先端部分を切断し、その後、前記栓を、前記止水部が前記分岐口の内面と密接するようにしてその分岐口に装着する。
こうして、分岐管における分岐口の先端部分が切断されてなくなった場合にも、栓の止水部によって分岐口を止水することができる。しかも、栓は、合成樹脂製分岐管の分岐口の外周面に配置される拡開防止部によって、分岐管における分岐口がその分岐管内の水圧によって拡開するのが防止されるので、分岐口の内周面に密接する止水部による止水状態が維持される。
また、請求項１０に記載の発明に係る、栓の装着方法のように、前記合成樹脂製分岐管は、ヘッダーであってもよい。
【００１６】
【発明の実施の形態】
以下、この発明に係る、合成樹脂製分岐管の開口筒部の栓、栓を備えた合成樹脂製分岐管、および栓の装着方法の実施の形態を図面に基づいて説明する。
【００１７】
図１ないし図５は、本発明に係る、合成樹脂製分岐管の開口筒部の栓、栓を備えた合成樹脂製分岐管、および栓の装着方法の一実施の形態を示す。図中符号１は、給水湯配管に使用される合成樹脂製分岐管としてのヘッダーである。２は、湯水供給源からヘッダー１に水または湯を供給する主管である。３は、ヘッダー１から水または湯を、台所や浴室等の各湯水消費部に供給する給水湯管である。４および５は、この発明に係る栓である。
【００１８】
ここで、ヘッダー１は、例えば、架橋ポリエチレン等の合成樹脂製であって、横方向に延びる筒状の本体部１ａと、その本体部１ａから下方に筒状に延びる主管接続口１ｂと、本体部１ａから下方または上方に筒状に延びる開口筒部としての分岐口１ｃ、１ｃ（図示実施の形態においては下方に４本、上方に１本）とからなる。そして、この分岐口１ｃの基端部分には、係止部としてのネジ部１ｄが螺設されている。さらに、本体部１ａにおける、分岐口１ｃの周辺には、回転防止突起１ｅが設けられている。また、本体部１ａの一方端部（図１において右端部）は、このヘッダー１の成形上の理由から開口した、開口筒部としての端部開口部１ｆとなっている。そして、この端部開口部１ｆにも、係止部としてのネジ部１ｇが螺設されており、また、ネジ部１ｇの基端側に形成されたつば部１ｈにも、回転防止突起１ｉが設けられている。
【００１９】
そして、主管接続口１ｂには、主管２が第１の継手６を介して接続され、さらに、この第１の継手６による主管接続口１ｂと主管２との接続部分を保護するように、その接続部分に第１のカバー７が被せられている。また、５本の分岐口１ｃ、１ｃのうちの、左側の２本の分岐口１ｃ、１ｃを除く３本には、それぞれ給水湯管３が第２の継手８を介して接続され、さらに、この第２の継手８による分岐口１ｃと給水湯管３との接続部分を保護するように、その接続部分に第２のカバー９が被せられている。
【００２０】
栓４は、ヘッダー１の使用しない分岐口１ｃを閉塞する栓であり、図示実施の形態においては、左側の２本の分岐口１ｃ、１ｃをそれぞれ閉塞している。この栓４は、例えば、合成樹脂製であって、止水部４ａと、延設部４ｂと、拡開防止部４ｃと、繋ぎ部４ｄとからなる。止水部４ａは、分岐口１ｃ内に挿入されて、その分岐口１ｃの内周面に密接して止水するものである。この止水部４ａは、筒状に形成されており、さらに、その外周面には、リング状の溝４ｅ、４ｅが形成されている。そして、止水部４ａには、各溝４ｅに嵌るようにして、止水パッキン４ｆが設けられており、この止水パッキン４ｆが、分岐口１ｃの内周面に密接することとなる。延設部４ｂは、止水部４ａから分岐口１ｃの先端側に筒状に延びることで、その分岐口１ｃ内に挿入可能となっている。
【００２１】
拡開防止部４ｃは、分岐口１ｃの外周面に配置されて、その分岐口１ｃがヘッダー１内の水圧により拡開するのを防止するものである。この拡開防止部４ｃは、分岐口１ｃに略当接するよう筒状に形成されており、止水部４ａに対向位置する対向部４ｇと、その対向部４ｇから分岐口１ｃの基端側に延びる突出部４ｈと、対向部４ｇから分岐口１ｃの先端側に延びる延出部４ｉとからなる。そして、拡開防止部４ｃには、止水部４ａおよび拡開防止部４ｃが、分岐口１ｃから外れるのを防止する、外れ防止手段１０が設けられている。この外れ防止手段１０は、ヘッダー１の係止部としてのネジ部１ｄに係止される被係止部、つまりはネジ部１ｄに螺合する螺合部４ｊからなっており、この螺合部４ｊは、拡開防止部４ｃの先端部分、つまりは突出部４ｈの先端部分に設けられている。また、拡開防止部４ｃの先端面、つまりは突出部４ｈの先端面には、ヘッダー１のネジ部１ｄに対する螺合部４ｊの緩みを防止すべく、ヘッダー１の回転防止突起１ｅに係合する回転防止部４ｋが設けられている。この回転防止部４ｋは、周方向に沿って波形に形成されており（図４参照）、ネジ部１ｄに螺合部４ｊをねじ込んでいくと、回転防止部４ｋの凸部４ｍは、回転防止突起１ｅに当接し、次いで、その回転防止突起１ｅや凸部４ｍが弾性変形するようにして、回転防止突起１ｅを乗り越えて、その回転防止突起１ｅが回転防止部４ｋの凹部４ｎに嵌り込む。こうして、回転防止部４ｋがヘッダー１の回転防止突起１ｅに係合し、ネジ部１ｄに対する螺合部４ｊの緩みが防止される。
【００２２】
繋ぎ部４ｄは、延設部４ｂの先端部分、つまり前記止水部４ａから延びる延設部４ｂの先端部分と、拡開防止部４ｃとを、分岐口１ｃの先端側で繋ぐよう、リング状に形成されている。こうして、止水部４ａは、拡開防止部４ｃとは、延設部４ｂを介して、その延設部４ｂの先端部分で繋がっており、また、こうして、止水部４ａと拡開防止部４ｃとは、繋がって一体化されている。
【００２３】
栓５は、ヘッダー１の端部開口部１ｆを閉塞する栓であり、栓４と比較すると、止水部５ａ、拡開防止部５ｃおよび繋ぎ部５ｄを備えるが、延設部４ｂは備えられていない。止水部５ａは、端部開口部１ｆ内に挿入されて、その端部開口部１ｆの内周面に密接して止水するものであり、栓４の止水部４ａと同様の構造であって、リング状の溝５ｅ、および止水パッキン５ｆが設けられている。拡開防止部５ｃは、栓４の拡開防止部４ｃと比較すると、延出部４ｉは設けられていないが、他は同様の構造であり、止水部５ａに対向位置する対向部５ｇと、その対向部５ｇから端部開口部１ｆの基端側に延びる突出部５ｈとからなり、また、ヘッダー１の係止部としてのネジ部１ｇに係止される被係止部、つまりはネジ部１ｇに螺合する螺合部５ｊからなる外れ防止手段１１が設けられている。そして、拡開防止部５ｃの先端面、つまりは突出部５ｈの先端面には、ヘッダー１のネジ部１ｇに対する螺合部５ｊの緩みを防止すべく、ヘッダー１の回転防止突起１ｉに係合する、栓４の回転防止部４ｋと同一構造の、周方向に波形に形成された回転防止部５ｋが設けられている。繋ぎ部５ｄは、止水部５ａと拡開防止部５ｃとを、端部開口部１ｆの先端側で繋ぐよう、リング状に形成されており、こうして、止水部５ａと拡開防止部５ｃとは、繋がって一体化されている。
【００２４】
次に、以上の構成からなる合成樹脂製ヘッダー１の、分岐口１ｃの栓４および端部開口部１ｆの栓５の作用効果について説明する。この栓４（５）を、ヘッダー１の分岐口１ｃ（端部開口部１ｆ）に装着するには、始めに、ヘッダー１の分岐口１ｃ（端部開口部１ｆ）に、止水部４ａ（５ａ）を挿入するとともに、拡開防止部４ｃ（５ｃ）を嵌める。そして、栓４（５）全体をその軸回りに回転させることで、螺合部４ｊ（５ｊ）を、ヘッダー１のネジ部１ｄ（１ｇ）に螺合させ、さらに、回転防止部４ｋ（５ｋ）を、ヘッダー１の回転防止突起１ｅ（１ｉ）に係合させる。
【００２５】
こうして、栓４（５）は、合成樹脂製ヘッダー１の分岐口１ｃ（端部開口部１ｆ）の外周面に配置される拡開防止部４ｃ（５ｃ）によって、ヘッダー１の分岐口１ｃ（端部開口部１ｆ）がそのヘッダー１内の水圧によって拡開するのが防止されて、分岐口１ｃ（端部開口部１ｆ）の内周面に密接する止水部４ａ（５ａ）による止水状態が維持される。したがって、これら止水部４ａ（５ａ）および拡開防止部４ｃ（５ｃ）により、合成樹脂製のヘッダー１であっても、確実に止水することが可能となる。
【００２６】
また、栓４（５）の拡開防止部４ｃ（５ｃ）が、対向部４ｇ（５ｇ）の他に突出部４ｈ（５ｈ）を有することにより、ヘッダー１の分岐口１ｃ（端部開口部１ｆ）が、そのヘッダー１内の水圧によって拡開するのを、容易に防止することができる。
【００２７】
また、栓４（５）の繋ぎ部４ｄ（５ｄ）によって、止水部４ａ（５ａ）と拡開防止部４ｃ（５ｃ）とが一体化されることで、ヘッダー１の分岐口１ｃ（端部開口部１ｆ）へのこの栓４（５）の装着が簡単となる。
【００２８】
また、栓４（５）に、外れ防止手段１０（１１）を設けることで、この栓４（５）、したがって止水部４ａ（５ａ）および拡開防止部４ｃ（５ｃ）が、ヘッダー１の分岐口１ｃ（端部開口部１ｆ）から外れるのが防止される。さらに、栓４（５）に、螺合部４ｊ（５ｊ）の緩みを防止する回転防止部４ｋ（５ｋ）を設けることで、この栓４（５）、したがって止水部４ａ（５ａ）および拡開防止部４ｃ（５ｃ）が、ヘッダー１の分岐口１ｃ（端部開口部１ｆ）から外れるのを確実に防止することができる。
【００２９】
また、栓４（５）は、止水部４ａ（５ａ）に止水パッキン４ｆ（５ｆ）が設けられているので、その止水パッキン４ｆ（５ｆ）が、ヘッダー１の分岐口１ｃ（端部開口部１ｆ）の内周面に密接し、この止水部４ａ（５ａ）による分岐口１ｃ（端部開口部１ｆ）の止水が安定する。
【００３０】
栓４においては、止水部４ａから分岐口１ｃの先端側に延びる延設部４ｂを備えているので、止水部４ａは、分岐口１ｃの、先端部分ではなく基端側に入った位置で、その分岐口１ｃの内周面と密接することができる。例えば、分岐口１ｃに継手８を介して給水湯管３が接続されたが、その後、その給水湯管３が不要となって、分岐口１ｃに栓４を装着する場合には、継手８によって変形した分岐口１ｃの先端部分を切断する必要がある。このように、分岐口１ｃの先端部分が切断されてなくなった場合にも、止水部４ａが分岐口１ｃの内面と密接することができ、この止水部４ａによって分岐口１ｃを止水することができる。
【００３１】
なお、本発明は、上述した実施の形態に限定されるわけではなく、その他種々の変更が可能である。例えば、合成樹脂製分岐管は、ヘッダー１でなくとも、Ｔ字形状をして、２方向に分岐されるチーズ等であってもよい。
【００３２】
また、外れ防止手段１０（１１）における被係止部は、ヘッダー１のネジ部１ｄ（１ｇ）に螺合する螺合部４ｊ（５ｊ）からならなくとも、例えば、ヘッダー１に設けられる係止爪に係止される被係止爪であってもよい。
【００３３】
また、止水部４ａ（５ａ）と拡開防止部４ｃ（５ｃ）とを一体化するにあたって、その止水部４ａ（５ａ）と拡開防止部４ｃ（５ｃ）とを一体に成形してもよいが、その他に、止水部４ａ（５ａ）と拡開防止部４ｃ（５ｃ）とを別々に成形し、その後、それらを組み付けることで一体化してもよい。
【００３４】
また、栓４、５は、合成樹脂製でなくとも、青銅等の金属製であってもよい。また、外れ防止手段１０（１１）は、拡開防止部４ｃ（５ｃ）に設けられなくとも、止水部４ａ（５ａ）あるいは延設部４ｂに設けられてもよい。
【００３５】
【発明の効果】
以上、詳述したところから明らかなように、この発明に係る、合成樹脂製分岐管の開口筒部の栓、栓を備えた合成樹脂製分岐管、および栓の装着方法によれば、次の効果がある。
【００３６】
請求項１および４に記載された、合成樹脂製分岐管の開口筒部の栓、並びに、請求項５および８に記載された、栓を備えた合成樹脂製分岐管によれば、拡開防止部により、分岐管の開口筒部が水圧によって拡開するのが防止され、止水部による止水状態が維持されるので、合成樹脂製の分岐管であっても、確実に止水することが可能となる。
【００３７】
【００３８】
【００３９】
そして、分岐管の開口筒部の先端部分が切断されてなくなった場合にも、止水部によって開口筒部を止水することができる。
【００４０】
また、請求項２および３に記載された、合成樹脂製分岐管の開口筒部の栓、並びに、請求項６および７に記載された、栓を備えた合成樹脂製分岐管によれば、加えて、外れ防止手段により、この栓の止水部および拡開防止部が、分岐管の開口筒部から外れるのを防止することができる。
【００４１】
また、請求項９および１０に記載された、栓の装着方法によれば、分岐管における分岐口の先端部分が切断されてなくなった場合にも、止水部によって分岐口を止水することができる。しかも、拡開防止部により、分岐管における分岐口が水圧によって拡開するのが防止され、止水部による止水状態が維持されるので、合成樹脂製の分岐管であっても、確実に止水することが可能となる。
【図面の簡単な説明】
【図１】この発明に係る、合成樹脂製分岐管の開口筒部の栓、栓を備えた合成樹脂製分岐管、および栓の装着方法の一実施の形態の、正面図である。
【図２】同じく、図１におけるＡ部拡大図である。
【図３】同じく、図１におけるＢ部拡大図である。
【図４】同じく、図２におけるＣ−Ｃ線による断面図である。
【図５】同じく、図４におけるＤ−Ｄ線による断面図である。
【図６】従来のヘッダー構造を示す正面図である。
【符号の説明】
１  ヘッダー（合成樹脂製分岐管）    １ｃ  分岐口（開口筒部）
１ｄ  ネジ部（係止部）              １ｆ  端部開口部（開口筒部）
１ｇ  ネジ部（係止部）              ４  栓
４ａ  止水部                        ４ｂ  延設部
４ｃ  拡開防止部                    ４ｆ  止水パッキン
４ｇ  対向部                        ４ｈ  突出部
４ｊ  螺合部（被係止部）            ４ｋ  回転防止部
５  栓                              ５ａ  止水部
５ｃ  拡開防止部                    ５ｆ  止水パッキン
５ｇ  対向部                        ５ｈ  突出部
５ｊ  螺合部（被係止部）            ５ｋ  回転防止部
１０  外れ防止手段                  １１  外れ防止手段
【図１】
0003578696.tif 000002
【図２】
0003578696.tif 000003
【図３】
0003578696.tif 000004
【図４】
0003578696.tif 000005
【図５】
0003578696.tif 000006
【図６】
0003578696.tif 000007